(57)【特許請求の範囲】
【請求項１】
吸気口および排気口が設けられた筐体と、
前記筐体内に設けられたファンと、
前記筐体に設けられた開口部に入れられたコネクタと、
前記コネクタの周囲の前記開口部を埋めた弾性部材と、
前記筐体内に設けられ、前記弾性部材を支持した、可撓性を有したシート状の第一の部材と、
を備え、
前記第一の部材は、両端部が前記筐体に固定され、前記両端部間に前記弾性部材が固定され、
前記第一の部材には、前記コネクタが挿入された第二開口部が設けられた、電子機器。
【請求項２】
吸気口および排気口が設けられた筐体と、
前記筐体内に設けられたファンと、
前記筐体または前記筐体の内部に設けられた開口部に入れられた弾性部材と、
前記筐体内に設けられ、前記弾性部材を支持した、可撓性を有したシート状の第一の部材と、
を備え、
前記筐体は、前記開口部の軸方向に沿って延在し前記第一の部材が固定された面部と、前記開口部の縁部と前記面部とを接続し前記第一の部材が重ねられた湾曲部と、を有した、電子機器。
【請求項３】
吸気口および排気口が設けられた筐体と、
前記筐体内に設けられたファンと、
前記筐体に設けられ前記筐体の内外を連通した開口部、に入れられた弾性部材と、
前記筐体内に設けられ、前記弾性部材を支持した、可撓性を有したシート状の第一の部材と、
前記開口部を囲む前記筐体の壁部から前記開口部内に突出して設けられ、前記弾性部材の、前記第一の部材とは反対側の部分であって前記筐体の外部に露出する側の部分を支持した支持部と、
を備えた電子機器。
【請求項４】
前記筐体に収容された回路基板装置を備え、
前記ファンは、前記回路基板装置に冷却風を送る、請求項１ないし３のいずれか一項に記載の電子機器。
【請求項５】
前記開口部は、前記筐体の内外を連通した請求項１または２に記載の電子機器。
【請求項６】
前記第一の部材は、前記筐体に固定された、請求項３に記載の電子機器。
【請求項７】
前記第一の部材は、一端部が前記筐体に固定され、他端部に前記弾性部材が固定された、請求項２または３に記載の電子機器。
【請求項８】
前記第一の部材は、両端部が前記筐体に固定され、前記両端部間に前記弾性部材が固定された、請求項２または３に記載の電子機器。
【請求項９】
前記筐体は、前記開口部の軸方向に沿って延在し前記第一の部材が固定された面部と、前記開口部の縁部と前記面部とを接続し前記第一の部材が重ねられた湾曲部と、を有した、請求項３に記載の電子機器。
【請求項１０】
前記開口部内に位置し、前記弾性部材の、前記第一の部材とは反対側の部分を支持した支持部を備えた請求項１または２に記載の電子機器。
【請求項１１】
前記筐体内に設けられた複数の部品を備え、
前記開口部は、前記部品間に設けられ、
前記第一の部材は、前記部品に固定された、請求項２に記載の電子機器。
【請求項１２】
前記筐体内に設けられた一対の壁部と、
前記一対の壁部間に掛け渡された、可撓性を有したシート状の第二の部材と、
を備えた請求項１ないし１１のいずれか一項に記載の電子機器。
【請求項１３】
前記筐体に収容された回路基板を備え、
前記第二の部材は、前記回路基板に面した請求項１２に記載の電子機器。
【発明の詳細な説明】
【技術分野】
【０００１】
本発明の実施形態は、電子機器に関する。
【背景技術】
【０００２】
従来、吸気口および排気口が設けられた筐体に収容された部品を、ファンの送風で冷却する電子機器が知られている。
【先行技術文献】
【特許文献】
【０００３】
【特許文献１】特開２００９−６４３４９号公報
【発明の概要】
【発明が解決しようとする課題】
【０００４】
この種のテレビジョン受像機等の電子機器では、筐体に設けられた開口部からファンの冷却風が漏れると、ファンによる冷却効率が低下することがある。
【０００５】
そこで、本発明の実施形態は、一例として、ファンによる冷却効率を向上させることができる電子機器を得ることを目的の一つとする。
【課題を解決するための手段】
【０００６】
実施形態にかかる電子機器は、筐体と、ファンと、コネクタと、弾性部材と、第一の部材と、を備えた。前記筐体には、吸気口および排気口が設けられた。前記ファンは、前記筐体内に設けられた。前記コネクタは、前記筐体に設けられた開口部に入れられた。前記弾性部材は、前記コネクタの周囲の前記開口部を埋めた。前記第一の部材は、可撓性を有した。前記第一の部材は、前記筐体内に設けられ、前記弾性部材を支持した。前記第一の部材は、両端部が前記筐体に固定され、前記両端部間に前記弾性部材が固定された。前記第一の部材には、前記コネクタが挿入された第二開口部が設けられた。
【図面の簡単な説明】
【０００７】
【図１】第１の実施形態にかかる電子機器の斜視図。
【図２】図１中に示された電子機器の下壁を示す平面図。
【図３】図１中に示された電子機器の下壁および周壁を示す斜視図。
【図４】図１中に示された電子機器の内部を示す平面図。
【図５】図１中に示された電子機器の内部を示す斜視図。
【図６】図１中に示された電子機器の下壁の内側を示す斜視図。
【図７】図１中に示された電子機器の上壁の内側を示す斜視図。
【図８】図１中に示された電子機器の内部を示す平面図。
【図９】図８中に示された電子機器のＦ９−Ｆ９線に沿う概略断面図。
【図１０】図８中に示された電子機器のＦ１０−Ｆ１０線に沿う断面図。
【図１１】図８中に示された電子機器のＦ１１−Ｆ１１線に沿う断面図。
【図１２】図８中に示された電子機器のＦ１２−Ｆ１２線に沿う断面図。
【図１３】図８中に示された電子機器の内部を模式的に示す断面図。
【図１４】図１３中に示された電子機器の内部を模式的に示すＦ１４−Ｆ１４線に沿う断面図。
【図１５】図８中に示された電子機器のダクト構造を模式的に示す断面図。
【図１６】図８中に示された電子機器のダクト構造を模式的に示す断面図。
【図１７】図６中に示された電子機器の閉止構造を示す斜視図。
【図１８】図６中に示された電子機器の閉止構造を示す平面図。
【図１９】図６中に示された電子機器の開口部の閉止構造を説明するための図であって、開状態の閉止構造を示す斜視図。
【図２０】図６中に示された電子機器の開口部の閉止構造を説明するための図であって、開状態の閉止構造を示す平面図。
【図２１】第１の実施形態の第１の変形例にかかるダクト構造を示す断面図。
【図２２】第１の実施形態の第２の変形例にかかるにかかるダクト構造を示す断面図。
【図２３−１】第１の実施形態の第３の変形例にかかるダクト構造を示す断面図。
【図２３−２】第１の実施形態の第３の変形例にかかるダクト構造を示す分解断面図。
【図２４】第１の実施形態の第４の変形例にかかるダクト構造を示す断面図。
【図２５】第１の実施形態の第５の変形例にかかるファンを示す断面図。
【図２６】第１の実施形態の第６の変形例にかかる電子機器の内部を示す平面図。
【図２７】第１の実施形態の第７の変形例にかかる電子機器の下壁の内側を示す斜視図。
【図２８】図２７中の領域Ａを概略的に示す平面図。
【図２９】第１の実施形態の第８の変形例にかかる電子機器の内部を示す平面図。
【図３０】第１の実施形態の第９の変形例にかかるダクト構造を示す断面図。
【図３１】第１の実施形態の第１０の変形例にかかるダクト構造を示す断面図。
【図３２】第１の実施形態の第１１の変形例にかかる電子機器の内部を示す断面図。
【図３３】第１の実施形態の第１２の変形例にかかる電子機器の内部を示す断面図。
【図３４】第１の実施形態の第１３の変形例にかかる電子機器の内部を示す断面図。
【図３５】第１の実施形態の第１４の変形例にかかる電子機器の内部を示す断面図。
【図３６】第１の実施形態の第１４の変形例にかかる電子機器の内部を示す断面図。
【図３７】第２の実施形態にかかるテレビジョン受像機の斜視図。
【図３８】図３７に示されたテレビジョン受像機の一部を示す側面図。
【図３９】図３７に示されたテレビジョン受像機の開口部の閉止構造を示す側面図
【図４０】図３８中に示された電子機器のＦ４０−Ｆ４０線に沿う断面図。
【図４１】第３の実施形態にかかる電子機器を表面側から見て示す斜視図。
【図４２】第３の実施形態にかかる電子機器を背面側から見て示す斜視図。
【図４３】第４の実施形態にかかる電子機器を示す斜視図。
【発明を実施するための形態】
【０００８】
以下の例示的な複数の実施形態や変形例には、同様の構成要素が含まれている。よって、以下では、同様の構成要素には共通の符号が付されるとともに、重複する説明が部分的に省略される。各実施形態や変形例に含まれる部分は、他の実施形態や変形例の対応する部分と置き換えて構成されることができる。
【０００９】
また、以下の実施形態では、電子機器がテレビジョン受像機、パーソナルコンピュータまたはプロジェクタとして構成された場合が例示されるが、本実施形態にかかる電子機器は、これらには限定されない。本実施形態にかかる電子機器は、例えば、スマートフォンや、スマートブック、携帯電話機、ＰＤＡ（personal  digital  assistant）、テレビ電話機、映像表示制御装置、情報記憶装置等、種々の電子機器として構成することができる。
【００１０】
（第１の実施形態）
本実施形態の電子機器１は、所謂ノートブック型のパーソナルコンピュータである。図１に示すように、電子機器１は、本体ユニット２と、表示ユニット３と、ヒンジ４とを備えている。本体ユニット２は、メインボードを搭載した電子機器本体である。本体ユニット２は、筐体５を備えている。筐体５は、上壁６、下壁７、および周壁８を有し、扁平な箱状に形成されている。
【００１１】
下壁７は、電子機器１を机上に置いた時に、その机上面に向かい合う。下壁７は、机上面に対して略平行になる。上壁６は、下壁７との間に空間を空けて、下壁７と略平行（すなわち略水平）に広がる。上壁６には、キーボード９が取り付けられている。周壁８は、下壁７に対して起立し、下壁７の周縁部と上壁６の周縁部との間を繋いでいる。
【００１２】
筐体５は、ベース１１と、カバー１２とを有する。ベース１１は、下壁７と、周壁８の一部とを含む。カバー１２は、上壁６と、周壁８の一部とを含む。カバー１２がベース１１に組み合わされることで、筐体５が形成されている。
【００１３】
筐体５は、表示ユニット３が回動可能に連結された後端部１３（第１端部）と、この後端部１３とは反対側に位置した前端部１４（第２端部）とを有する。周壁８は、前壁８ａ、後壁８ｂ、左側壁８ｃ、および右側壁８ｄを有する。前壁８ａは、前端部１４において筐体５の幅方向（左右方向）に延びている。後壁８ｂは、後端部１３において筐体５の幅方向に延びている。左側壁８ｃおよび右側壁８ｄは、それぞれ筐体５の奥行方向（前後方向）に延びて、前壁８ａの端部と後壁８ｂの端部とを繋いでいる。
【００１４】
表示ユニット３は、ヒンジ４によって、本体ユニット２の後端部１３に回動可能（開閉可能）に連結されている。表示ユニット３は、本体ユニット２を上方から覆うように倒された閉じ位置と、本体ユニット２に対して起こされた開き位置との間で回動可能である。
【００１５】
図１に示すように、表示ユニット３は、表示筐体１５と、この表示筐体１５に収容された表示パネル１６とを備えている。表示パネル１６の表示画面１６ａは、表示筐体１５の前壁に設けられた開口部１５ａを通じて外部に露出可能になっている。
【００１６】
図１に示すように、上壁６は、キーボード９が取り付けられるキーボード載置部１７と、パームレスト１８とを有する。パームレスト１８は、キーボード載置部１７よりも手前側、つまりキーボード載置部１７と前壁８ａとの間に設けられている。図１０に示すように、キーボード載置部１７は、パームレスト１８に対して筐体５の内側に窪んでいる。これにより、キーボード載置部１７に取り付けられたキーボード９の上面は、パームレスト１８の上面と略同じか少し高くに位置する。
【００１７】
図２に示すように、筐体５の下壁７には、複数の脚部１９が設けられている。この脚部１９が机上面に接することで、筐体５の下壁７は、机上面から離れた位置で支持される。図２および図３に示すように、筐体５は、第１吸気口２１、第２吸気口２２（図３参照）、第３吸気口２３、および第４吸気口３６を備えている。第１吸気口２１、第２吸気口２２、第３吸気口２３、および第４吸気口３６は、互いに離れるとともに、例えば筐体５の左前端部に集中して設けられている。図６に示すように、第１吸気口２１は、筐体５の下壁７に設けられた円形対向部７ｄ内に複数設けられている。円形対向部７ｄは、ファン２４（冷却ファン、送風機構）と対向する部分である。この円形対向部７ｄには、横断部７ｅが形成されている、横断部７ｅの内面にはファン２４のハーネスが取り付けられ、横断部７ｅは、そのハーネスを覆う。
【００１８】
図２に示すように、第１吸気口２１、第３吸気口２３、および第４吸気口３６は、下壁７に設けられている。第１吸気口２１は、後述するファン２４の下方に位置し、ファン２４に向かい合っている。第３吸気口２３は、ファン２４の下方を外れ、第１吸気口２１と前壁８ａとの間に開口している。第４吸気口３６は、ファン２４の下方に配置され、第１吸気口２１と左側壁８ｃとの間に開口している。
【００１９】
図３に示すように、第２吸気口２２は、左側壁８ｃに設けられている。第２吸気口２２は、例えば各種コネクタ２５を露出させるための開口部である。第２吸気口２２は、コネクタ２５と筐体５との間の隙間を通じて筐体５内に外気を流入させる。
【００２０】
図３に示すように、筐体５は、第１排気口２６および第２排気口２７を備えている。第１排気口２６は、筐体５の後端部１３において左側壁８ｃに設けられ、例えばキーボード９の側方から後側にかけて位置している。第１排気口２６は、後述するヒートシンク２８に側方から向かい合う。第２排気口２７は、筐体５の後端部１３において下壁７に設けられ、ヒートシンク２８に下方から向かい合う。第２排気口２７は、前後方向に沿って複数設けられており、これらの第２排気口２７間には、凹部３７が前後方向に沿って複数形成されている。凹部３７は、下壁７を貫通していない。凹部３７の平面視での大きさは、略第２排気口２７と同じである。この凹部３７近傍のベース１１には、カバー１２を係止する爪部が設けられており、この凹部３７が爪部近傍のベース１１の剛性を高くしている。また図２に示すように、下壁７は、ドッキングコネクタ２９を外部に露出させる開口部３０（図２参照）が設けられている。
【００２１】
図４に示すように、筐体５は、基板である回路基板３１、ＯＤＤ３２(Optical  Disk  Drive)、記憶装置３３、ヒートシンク２８、ヒートパイプ３４、放熱板３５、およびファン２４を収容している。回路基板３１は、例えばメインボードである。
【００２２】
回路基板３１は、第１面３１ａ（図１０参照）と、この第１面３１ａとは反対側に位置した第２面３１ｂ（図１０参照）とを有する。第１面３１ａは、例えば下面である。第２面３１ｂは、例えば上面である。なおこれに代えて、第１面３１ａが上面であり、第２面３１ｂが下面であってもよい。
【００２３】
図４，図８に示すように、回路基板３１の第１面３１ａは、ＣＰＵ４１(Central  Processing  Unit)、ＰＣＨ４２(Platform  Controller  Hub)、電源回路部品４３、メモリスロットコネクタ４４、ＬＣＤコネクタ４５、Ｉ／Ｏコネクタ４６、第１電源コイル、および第２電源コイル等の電子部品を実装している。
【００２４】
回路基板３１は、実装されたＣＰＵ４１やＰＣＨ４２等の上記各電子部品とによって、回路基板装置３８を構成しており、筐体５に収容されている。この回路基板装置３８は、回路基板３１の第１面３１ａを含んだ第１部３８ａと、回路基板３１の第２面３１ｂを含み回路基板３１における第１部３８ａの反対側に位置した第２部３８ｂ（図１０参照）と、を有している。ここで、筐体５の内面の上内面は、上壁６の内面６ａを含み、筐体５の内面の下内面は、下壁７の内面７ａを含んでおり、回路基板装置３８は、内面６ａと内面７ａとの間に配置されている。
【００２５】
ＣＰＵ４１は、第１発熱体の一例であり、回路基板３１のなかで最も発熱する部品である。ＰＣＨ４２は、第２発熱体の一例であり、例えば自然放熱でよい部品である。電源回路部品４３は、第３発熱体の一例であり、回路基板３１のなかで比較的発熱量が大きな部品である。
【００２６】
図１０に示すように、回路基板３１の第２面３１ｂは、電源回路部品４９を実装している。電源回路部品４９は、発熱体の一例である。なお、回路基板３１に実装される発熱体は、上記に限られない。
【００２７】
ここで、図４に示すように、筐体５の前端部１４から後端部１３に向かう方向を第１方向Ｄ１と定義する。また、第１方向Ｄ１に略直交し、右側壁８ｄから左側壁８ｃに向かう方向を第２方向Ｄ２と定義する。後述のファン２４の吐出口２４ｃは、第１方向Ｄ１に開口している。
【００２８】
また、本明細書では、電子機器１の正規の姿勢（図１の姿勢）を基準に上下左右を定義している。そのため、図２、図４、図５、図７など、電子機器１を逆さまにした図を用いた説明では、上下および左右の表現が図中とは逆になっている。
【００２９】
図１０に示すように、回路基板３１は、キーボード載置部１７の下方に配置されている。図４に示すように、回路基板３１は、ファン２４とヒートシンク２８との間に位置した第１部分３１ｃと、ファン２４とヒートシンク２８との間を外れた第２部分３１ｄとを有する。
【００３０】
第１部分３１ｃは、ファン２４の吐出口２４ｃの開口方向（第１方向Ｄ１）においてファン２４が向かい合う。つまり第１部分３１ｃは、ファン２４から吐出された冷却風に直接に晒される部分である。また第１部分３１ｃは、第２方向Ｄ２においてヒートシンク２８に向かい合う。一方、第２部分３１ｄは、ファン２４の吐出口２４ｃの開口方向においてファン２４に向かい合わない。
【００３１】
ＣＰＵ４１および電源回路部品４３は、回路基板３１の第１部分３１ｃに実装され、ヒートシンク２８とファン２４との間に位置している。ＰＣＨ４２は、回路基板３１の第２部分３１ｄに実装され、ヒートシンク２８とファン２４との間から外れている。
【００３２】
図４および図１２に示すヒートシンク２８は、放熱部の一例であり、例えば複数のフィンを含んだフィンユニットである。ヒートシンク２８は、筐体５の後端部１３に配置され、筐体５の第１排気口２６に面している。ヒートシンク２８は、キーボード載置部１７の下方に位置する。ヒートシンク２８は、フィンとフィンとの間の隙間を第１排気口２６に向けている。ヒートシンク２８には、ヒートパイプ３４と第２のヒートパイプ３９とが接続されている。ヒートシンク２８は、第１排気口２６に臨んだ位置で筐体５に収容されており、後述する第１通風路（第１通風路）９１ａおよび第２通風路（第２通風路）９１ｂを構成している。なお、第１通風路９１ａおよび第２通風路９１ｂには、電子部品が配置されている。
【００３３】
図８に示すように、ＣＰＵ４１は、放熱板３５およびヒートパイプ３４を介してヒートシンク２８に接続されている。ヒートパイプ３４は、熱輸送部材の一例である。ヒートパイプ３４は、ＣＰＵ４１からヒートシンク２８まで延びている。ヒートパイプ３４は、ＣＰＵ４１をヒートシンク２８に熱接続しており、ＣＰＵ４１の熱をヒートシンク２８に移動させる。つまり、ヒートパイプ３４は、電子部品とヒートシンク２８とを接続している。
【００３４】
放熱板３５は、例えば板金部材である。放熱板３５は、ＣＰＵ４１に向かい合う第１部分３５ａを有して、第１部分３５ａが、ＣＰＵ４１に熱接続されている。放熱板３５は、電源回路部品４３には例えば熱接続されていない。
【００３５】
図４に示すように、ＯＤＤ３２は、回路基板３１とは反対側となる筐体５の右部に収容されている。記憶装置３３の一例は、ＨＤＤ(Hard  Disk  Drive)である。記憶装置３３は、筐体５の前端部１４に配置され、ファン２４の隣に位置している。記憶装置３３は、ケース５１と、このケース５１に収容された磁気ディスク（図示しない）とを有する。ケース５１の側面５１ａ（端面）は、平面状に広がるとともに、ファン２４に側方から向かい合う。このケース５１の側面５１ａは、筐体５の左側壁８ｃとは反対側からファン２４に向かい合う立ち壁を形成している。
【００３６】
図８に示すように、ファン２４は、ヒートシンク２８から離れて、例えば筐体５の左側の前端部１４に配置されている。図１０に示すように、ファン２４は、パームレスト１８の下方に配置されている。つまりファン２４は、筐体５内の厚さが比較的小さなキーボード載置部１７の下方を外れて、筐体５内の厚さが比較的大きなパームレスト１８の下方に配置されている。図１０に示すように、ファン２４と筐体５の下壁７との間、およびファン２４と筐体５の上壁６との間には、それぞれ隙間が設けられている。図１１に示すように、ファン２４の後端部２４ｅの上部に対面する筐体５の上壁６には、後端部２４ｅに上下方向で重なった対向部６ｃが設けられており、この対向部６ｃは、後述する第１部屋６１と第２部屋６２との間の隙間を小さくしている。
【００３７】
ファン２４は、遠心式ファンであり、ファンケース５３と、このファンケース５３内で回転駆動される羽根車５４とを有している。ファンケース５３は、第１吸込口２４ａ、第２吸込口２４ｂ、および吐出口２４ｃを備えている。
【００３８】
図１０に示すように、ファンケース５３は、下壁７に向かい合う下面５３ａ、この下面５３ａとは反対側に位置して上壁６に向かい合う上面５３ｂ、および回路基板３１に向かい合う周面５３ｃを有する。第１吸込口２４ａは、ファンケース５３の下面５３ａに設けられ、下壁７の第１吸気口２１に向かい合っている。第２吸込口２４ｂは、ファンケース５３の上面５３ｂに設けられ、第１吸込口２４ａとは反対側に向いて開口している。第２吸込口２４ｂは、パームレスト１８との間に隙間を空けて、パームレスト１８に面している。上面５３ｂには、端部に向かうに従い厚さが薄くなる筐体５の形状に合わせて段差部５３ｄが形成されている。このように、ファンケース５３は、筐体５の内面に対向した一対の対向面として下面５３ａと上面５３ｂとを有するとともに、一対の対向面（下面５３ａ、上面５３ｂ）間に設けられた側面である周面５３ｃを有している。
【００３９】
図１０に示すように、吐出口２４ｃは、上述のように第１方向Ｄ１に開口し、回路基板３１のＣＰＵ４１に向いている。吐出口２４ｃの厚さは、回路基板３１の厚さよりも大きい。回路基板３１は、吐出口２４ｃの厚さ方向で上面５３ｂ側に寄って配置されて、吐出口２４ｃに向かい合っている。
【００４０】
つまり吐出口２４ｃは、回路基板３１の上下に亘って開口している。吐出口２４ｃは、回路基板３１に対して第１面３１ａ側に位置した第１部分２４ｃａと、回路基板３１に対して第２面３１ｂ側に位置した第２部分２４ｃｂとを有する。
【００４１】
ファン２４は、第１吸込口２４ａおよび第２吸込口２４ｂから筐体５内の空気を吸い込み、その空気を吐出口２４ｃからＣＰＵ４１に向けて吐出する。このときファン２４は、回路基板３１の上下両側にそれぞれ空気を吐出する。
【００４２】
一方、図１２に示すように、ヒートシンク２８の厚さは、回路基板３１の厚さよりも大きい。回路基板３１は、ヒートシンク２８の厚さ方向でヒートシンク２８の上端部に寄って配置されて、ヒートシンク２８と向かい合っている。
【００４３】
つまりヒートシンク２８は、回路基板３１の上下に露出している。ヒートシンク２８は、回路基板３１に対して第１面３１ａ側に位置した第１部分２８ａと、回路基板３１に対して第２面３１ｂ側に位置した第２部分２８ｂとを有する。第１部分２８ａは、回路基板３１の第１面３１ａ側に流れた空気に晒される。第２部分２８ｂは、回路基板３１の第２面３１ｂ側に流れた空気に晒される。
【００４４】
図８および図１０に示すように、ファン２４の吐出口２４ｃに面した回路基板３１の端部は、部品非実装領域５６を有する。部品非実装領域５６は、例えば５ｍｍの幅を有し、回路基板３１の縁に沿って吐出口２４ｃの幅方向に延びている。部品非実装領域５６は、例えばリフロー工程など回路基板に部品を実装する工程で、実装装置のレールに載せられる代である。この部品非実装領域５６は、部品が実装されておらず、ファン２４から吐出される空気の流れを阻害しにくい。
【００４５】
図８に示すように、電子機器１は、筐体５内で、第１部屋６１（第１領域）、第２部屋６２（第２領域）、および第３部屋６３（第３領域）を仕切る遮風部６４を備えている。第１部屋６１は、ファン２４に外気（フレッシュエアー）を吸わせるための吸気室である。第２部屋６２は、発熱量が比較的大きな部品が集中して実装され、ファン２４からヒートシンク２８に向かって冷却風が集中的に流されるダクトである。第３部屋６３には、例えば発熱量が比較的小さな部品が収容されている。なお「部屋」とは、筐体５内の領域（部分）のことを指し、必ずしも他の部屋（他の領域）から完全に遮断されている必要はない。
【００４６】
図６乃至図８に示すように、本実施形態では、遮風部６４は、第１壁部７１と、第２壁部７２と、第３壁部７３と、第４壁部７４と、を含んでいる。第１壁部７１と、第２壁部７２と、第３壁部７３と、第４壁部７４とは、ガイド壁に相当する。第１壁部７１、第２壁部７２、第３壁部７３、第４壁部７４は、導風部材に相当する。
【００４７】
第１壁部７１は、筐体５の内面の上内面を構成する下壁の内面７ａと、回路基板装置３８の第１部３８ａとの間に設けられている。第１壁部７１は、第１部３８ａに当接している。第１壁部７１は、ファン２４の吐出口２４ｃから回路基板装置３８の第１部３８ａ側を通って第１排気口（排気孔）２６および第２排気口２７へ至る第１通風路９１ａを構成している。
【００４８】
第１壁部７１は、ファン２４の吐出口２４ｃの右部近傍からメモリスロットコネクタ４４とＣＰＵ４１との間を経由してヒートシンク２８の後部近傍に至る第１部７１ａと、ファン２４の吐出口２４ｃの左部近傍からヒートシンク２８の前部近傍に至る第２部７１ｂとを含む。第１壁部７１の第１部７１ａの一部は、ファン２４の吐出口２４ｃに離間して吐出口２４ｃに対向する位置に配置されている。
【００４９】
図９に示すように、第１壁部７１は、第１部材７１ｃと第２部材７１ｄとを有している。第１部材７１ｃは、筐体５の内面である下壁７の内面７ａに例えば溶着などによって設けられている。第１部材７１ｃは、下壁７の内面７ａに固定されている。第１壁部７１は、断面Ｌ字状に形成された部分を含む。第１壁部材のＬ字状の部分は、下壁７の内面７ａに固定された第１壁７１ｋとこの第１壁７１ｋの縁部に凸設された第２壁７１ｊとを有する。この第１壁部７１は、例えば、樹脂製である。別の言い方をすると、第１壁部７１は、例えば、プラスチック製である。第１部材７１ｃは、縦壁として機能し、筐体５の剛性を高めている。第１部材７１ｃは、筐体５の下壁７とは別部材である。なお、図９では、電子部品は図示が省略されている。
【００５０】
第２部材７１ｄは、第１部材に例えば両面テープなどによって取り付けられている。この第２部材７１ｄは、回路基板装置３８に当接している。第２部材７１ｄは、その先端部が回路基板３１に実装された電子部品に当接している。第２部材７１ｄの先端部が当接する電子部品は複数あり、それらの電子部品は比較的に高さの低い部品であり、それらの高さが所定の範囲の高さに揃えられている。第２部材７１ｄは、剛性が第１部材７１ｃよりも低い。第２部材７１ｃは、例えば、スポンジやゴムなどの弾性部材によって構成されている。また、第２部材７１ｄは、第１部材７１ｃの側面である第１側面７１ｅに取り付けられている。詳細には、第１部材７１ｃは、側面として、第１通風路９１ａを構成する第１側面７１ｅおよび第１側面７１ｅの裏面である第２側面７１ｆを有しており、第２部材７１ｄは、第１側面７１ｅに取り付けられている。第１壁部７１は、回路基板装置３８の第１部３８ａに当接して第１部３８ａに沿って延在した第１当接面７１ｇを、第２部材７１ｄの先端部に有している。第２部材７１ｂは、筐体５の内面から離間している。
【００５１】
第１壁部７１ａの一部と筐体５の内面である下壁７の内面７ａとの間には、筐体５の内部において第１通風路９１ａの内外を連通した連通口９２が設けられている。詳細には、第１壁部７１ａの第１部７１ａにおけるメモリスロットコネクタ４４との対向部分の一部は、第２部材７１ｄが設けられておらず、これにより、第１部材７１ｃと下壁７の内面７ａとの間に連通口９２が設けられている。この連通口９２は、第２部屋６２と第３部屋６３とを連通している。
【００５２】
第２壁部７２は、筐体５の内面である上壁６の内面６ａと回路基板装置３８の第２部３８ｂとの間に設けられている。第２壁部７２は、回路基板装置３８の第２部３８ｂに当接し且つ回路基板装置３８を挟んで第１壁部７１に重ねて配置されている。第２壁部７２は、ファン２４の吐出口２４ｃから回路基板装置３８の第２部３８ｂ側を通って第１排気口２６および第２排気口２７へ至る第２通風路９１ｂを構成している。ここで、第２通風路９１ｂと第１通風路９１ａは、通風路９１を構成している。
【００５３】
第２壁部７２は、ファン２４の吐出口２４ｃの右部近傍から第１壁部７１の第１部７１ａに沿って延在してヒートシンク２８の後部近傍に至る第１部７２ａと、ファン２４の吐出口２４ｃの左部近傍から第１壁部７１の第２部７１ｂに沿って延在してヒートシンク２８の前部近傍に至る第２部７２ｂとを含む。第２壁部７２の第１部７２ａの一部は、ファン２４の吐出口２４ｃに離間して吐出口２４ｃに対向する位置に配置されている。第２壁部７２は、筐体５の上内面である上壁６の内面６ａに例えば両面テープなどによって設けられている。第２壁部７２は、スポンジやゴムなどの弾性部材によって構成されている。この第２壁部７２の高さは、第１壁部７１の高さよりも低くなっている。第２壁部７２は、回路基板装置３８の第２部３８ｂに当接して第２部３８ｂに沿って延在した第２当接面７２ｃを有している。ここで、第１壁部７１の第１当接面７１ｇの延在方向と直交する方向（図９での左右方向）の第１当接面７１ｇの第１幅Ｗ１と第２当接面７２ｃの延在方向と直交する方向（図９での左右方向）の第２当接面７２ｃの第２幅Ｗ２とは、略同じである。
【００５４】
図７に示すように、筐体５の内面である上壁６の内面６ａには、第１凸部６５が立設されている。第１凸部６５は、例えば、回路基板３１を支持するボスなどである。そして、第２壁部７２には、第１凸部６５に沿って屈曲（湾曲）した屈曲部７２ｄが設けられている。第１凸部６５は、屈曲部７２ｄの外側（第２通風路９１ｂ外）に位置している。なお、第１凸部６５は、屈曲部７２ｄの内側（第２通風路９１ｂ内）に位置していてもよい。なお、第１の凸部６５は、下壁７の内面７ａに立設されていてもよい。この場合、第１壁部７１に、第１凸部６５に沿って屈曲（湾曲）した屈曲部が設けられていてよい。
【００５５】
図６に示すように、筐体５の内面である下壁７の内面７ａには、第２凸部６６が立設されている。第２凸部６６は、第１通風路９１ａを構成しており、遮風部６４に含まれている。第２凸部６６は、例えば、回路基板３１を支持するボスなどである。この第２凸部６６に沿った形状に第１壁部７１における第１部７１ａの第１部材７１ｃの縁部が形成されている。なお、第２凸部６６は、上壁６の内面６ａに立設されて、第２通風路９１ｂを構成してもよい。
【００５６】
図５や図１０に示すように、第３壁部７３は、ファン２４のファンケース５３と筐体５の内面との間に設けられている。第３壁部７３は、ファンケース５３の一対の対向面の一方である下面５３ａと筐体５の内面である下壁７の内面７ａとの間に設けられた第１部７３ａと、ファンケース５３の一対の対向面の他方である上面５３ｂと筐体５の内面である上壁６の内面６ａとの間に設けられた第２部７３ｂと、を有している。第１部７３ａおよび第２部７３ｂは、スポンジやゴムなどの弾性部材によって構成されている。第１部７３ａおよび第２部７３ｂは、ファンケース５３に、例えば両面テープなどによって取り付けられている。
【００５７】
図１２に示すように、第４壁部７４は、ヒートシンク２８と筐体５の内面との間に設けられている。第４壁部７４は、ヒートシンク２８の下面と下壁７の内面７ａとの間に設けられた第１部７４ａと、ヒートシンク２８の上面と上壁６の内面６ａとの間に設けられた第２部７４ｂと、を有している。第１部７４ａおよび第２部７４ｂは、スポンジやゴムなどの弾性部材によって構成されている。第１部７４ａおよび第２部７４ｂは、ヒートシンク２８に、例えば両面テープなどによって取り付けられている。
【００５８】
第１乃至第４壁部７１，７２，７３，７４は、非導電性部材（絶縁体）の一例である。なお、図８では、説明の便宜上、遮風部６４を形成する部品にハッチングを施している。
【００５９】
第１部屋６１の遮風構造について説明する。
図８に示すように、ファン２４の下面５３ａには、第３壁部７３の第１部７３ａが取り付けられている。第１部７３ａは、ファン２４の吐出口２４ｃに沿って、吐出口２４ｃの幅方向（第２方向Ｄ２）に延びている。つまり第１部７３ａは、第１吸込口２４ａと吐出口２４ｃとの間に設けられ、筐体５内の空間を仕切っている。また、第１部７３ａは、ファン２４の右端部に沿って、第１方向Ｄ１に延びている。第１部７３ａは、ファン２４の第１吸込口２４ａに対して、筐体５の左側壁８ｃとは反対側に位置している。つまり、第１部７３ａと筐体５の左側壁８ｃとの間に、ファン２４の第１吸込口２４ａが位置する。このように第１部７３ａは、略Ｌ字状に延在している。
【００６０】
図１０に示すように、第３壁部７３の第２部７３ｂは、ファン２４の上面５３ｂにおいて、第１部７３ａと略面対称で形成されている。即ち、第１部７３ａと第２部７３ｂとは、ファンケース５３を介して上下で重ねて配置されている。第２部７３ｂは、ファン２４の吐出口２４ｃに沿って、吐出口２４ｃの幅方向に延びている。また、第２部７３ｂは、第２吸込口２４ｂと吐出口２４ｃとの間に設けられ、筐体５内の空間を仕切っている。第２部７３ｂは、ファン２４の右端部に沿って、第１方向Ｄ１に延びている。この第２部７３ｂは、ファン２４の上面５３ｂと、筐体５の上壁６の内面（パームレスト１８の内面）との間に設けられている。このように第２部７３ｂは、略Ｌ字状に延在している。そして、第３壁部７３は、ファンケース５３と、筐体５の内面との間の隙間で圧縮され、この隙間を気密に塞いでいる。
【００６１】
これにより、図１４に模式的に示すように、筐体５のコーナー部には、第３壁部７３、筐体５の左側壁８ｃ、および筐体５の前壁８ａによって囲まれた第１部屋６１が形成されている。つまり、第３壁部７３は、筐体５内を、第１部屋６１としての部分と、第２部屋６２としての部分に仕切っている。
【００６２】
なお本実施形態では、第３壁部７３は、ファン２４の表面上に設けられ、ファン２４を外れた領域には設けられていない。つまり、第３壁部７３は、筐体５内で第１部屋６１を完全に仕切っているわけではなく、部分的に仕切っている。
【００６３】
なお、第３壁部７３は、ファン２４を外れた領域まで延長され、筐体５内で第１部屋６１を完全に仕切ってもよい。なお本実施形態では、記憶装置３３のケース５１の側面５１ａが、第１部屋６１の一部の壁面を補助的に形成している。
【００６４】
図８および図１０に示すように、第１部屋６１は、筐体５の第１吸気口２１、第２吸気口２２、第３吸気口２３、およびファン２４の第１吸込口２４ａ、第２吸込口２４ｂが露出している。第１部屋６１には、回路基板３１に実装された発熱体が存在しない。第１部屋６１は、第１吸気口２１、第２吸気口２２、および第３吸気口２３を通じて筐体５の外部に連通し、外気（フレッシュエアー）が流入可能である。このため、第１部屋６１の空気は、他の部屋の空気に比べて温度が低い。
【００６５】
次に、第２部屋６２（ダクト部）の遮風構造について説明する。
図８に示すように、第２部屋６２は、第１壁部７１や第２壁部７２などによって第１および第３の部屋６１，６３と区画されている。第２の部屋６２には、ＣＰＵ４１等の発熱体が配置されている。第１壁部７１は、筐体５の下壁７などと協働して、ファン２４からヒートシンク２８に向かって冷却風が流れるダクト構造の通風路９１のうち第１通風路９１ａを形成する。第２壁部７２は、筐体５の上壁６などと協働して、ファン２４からヒートシンク２８に向かって冷却風が流れるダクト構造の通風路９１のうち第２通風路９１ｂ（図１０参照）を形成する。第１通風路９１ａは、回路基板３１の第１面３１ａ上（つまり回路基板３１と筐体５の下壁７との間）に形成され、略Ｌ字状をしている。第２通風路９１ｂは、回路基板３１の第２面３１ｂ上（つまり回路基板３１と筐体５の上壁６との間）に形成され、第１通風路９１ａと同じ略Ｌ字状をしている。これらの第１通風路９１ａおよび第２通風路９１ｂは、回路基板３１に対して略面対称に形成されている。第１壁部７１は、筐体５の内面と回路基板装置３８との間で圧縮され、筐体５の内面と回路基板装置３８との間の隙間を気密に塞いでいる。これにより、ファン２４から送られた冷却風が、第１壁部７１等によって案内されて、ヒートシンク２８へ到達する。
【００６６】
図８に示すように、ＣＰＵ４１、電源回路部品、ヒートパイプ３４、および放熱板３５は、第１通風路９１ａ内に位置している。
【００６７】
ファン２４の吐出口２４ｃの第１部分２４ｃａから吐出された空気は、第１通風路９１ａを流れて、ヒートシンク２８の第１部分２８ａに達する。ファン２４の吐出口２４ｃの第２部分２４ｃｂから吐出された空気は、第２通風路９１ｂを流れて、ヒートシンク２８の第２部分２８ｂに達する。なお、回路基板３１の第２面３１ｂと筐体５の上壁６との間の隙間は、第１面３１ａと筐体５の下壁７との間の隙間よりも小さい。このようにして、第１通風路９１ａおよび第２通風路９１ｂを流れる冷却風によって、ＣＰＵ４１等の電子部品やヒートパイプ３４、ヒートシンク２８が冷却される。
【００６８】
また、この際、連通口９２から第３部屋６３に冷却風の一部が流入し、第３部屋のメモリ８１などが冷却される。なお、メモリ８１を保持しているメモリスロットコネクタ４４は、筐体５の内面から離間して配置されており、メモリスロットコネクタ４４の熱が、筐体５に伝わるのが抑制されている。第３部屋６３は、筐体５の下壁７に設けられた通気孔を通じて外部に連通している。図４に示すように、第３部屋６３には、ＰＣＨ４２、メモリ８１、ＯＤＤ３２、および記憶装置３３が露出している。ＰＣＨ４２やメモリ８１は、放熱用部材が取り付けられておらず、自然放熱される。
【００６９】
回路基板３１の第１部分３１ｃは、第２部屋６２に露出している。回路基板３１の第２部分３１ｄは、第３部屋６３に露出している。なお、本実施形態にかかる各部品は、筐体５内で第３部屋６３を完全に仕切っているわけではなく、部分的に仕切っている。なお、第３部屋６３は、筐体５内で完全に仕切られていてもよい。
【００７０】
また、図６、図１７〜図２０に示すように、下壁７には、周壁８の後壁８ｂに沿った係部９４が設けられている。係部９４は筐体５の一部を構成している。係部９４には、開口部９４ａ（貫通孔）が設けられており、この開口部９４ａに、一例として、電子機器１が装着されるドック（支持部、連結部）のフック（係部、図示せず）が下方から係合（挿入）される。
【００７１】
係部９４は、壁部８ｄ，８ｅと、壁部９４ｂ，９４ｃと、を有する。壁部８ｄ，８ｅは、後壁８ｂの一部であり、壁部８ｄと壁部８ｅとの接合部が角部８ｆとなっている。壁部９４ｂは、壁部８ｂと対向し、壁部９４ｂは、壁部８ｅと対向している。開口部９４ａは、壁部８ｄ，８ｅと、壁部９４ｂ，９４ｃと、に囲まれており、下壁７を貫通している。即ち、開口部９４ａは、筐体５の内外を連通している。開口部９４ａは、筐体５に設けられた開口部の一例である。
【００７２】
開口部９４ａには、弾性部材９５が入れられている（嵌められている）。弾性部材９５は、例えば、スポンジやゴム等によって構成される。弾性部材９５は、開口部９４ａを塞いでいる。弾性部材９５は、シート部材９６（第一の部材、インシュレータ）によって支持されている。
【００７３】
シート部材９６は、筐体５内で開口部９４ａの少なくとも一部を覆う位置に設けられている。シート部材９６は、樹脂等によって構成されうる。シート部材９６は、可撓性を有したシート状の部材である。シート部材９６は、筐体５の係部９４に固定されている。シート部材９６は、一端部９６ａが筐体５に固定され、他端部９６ｂに弾性部材９５が固定されている。これらの固定は、例えば接着等によってなされる。シート部材９６の一端部９６ａは、壁部９４ｂに固定されている。詳細には、壁部９４ｂには、面部９４ｄと湾曲部９４ｅとが設けられている。面部９４ｄは、開口部９４ａの軸方向（本実施形態では上下方向）に沿って延在しており、この面部９４ｄにシート部材９６が固定されている。また、湾曲部９４ｅは、開口部９４ａの縁部９４ｆと面部９４ｄとを接続している。湾曲部９４ｅは、シート部材９６が重ねられている。この湾曲部９４ｅによって、シート部材９６を壁部９４ｂに良好に密着させることができる。
【００７４】
また、係部９４には、支持部９４ｇが設けられている。支持部９４ｇは、開口部９４ａ内に位置している。支持部９４ｇは、弾性部材９５の、シート部材９６とは反対側の部分９５ａを支持している。
【００７５】
次に、電子機器１の作用について、本実施形態の構造を模式的に示した図１３乃至図１５を参照して説明する。
【００７６】
図１３および図１４に示すように、筐体５内は、第１部屋６１と第２部屋６２とに分かれている。第１部屋６１と第２部屋６２との間には、空気の行き来を遮断する構造（第３壁部７３）が設けられている。ファン２４の第１吸込口２４ａおよび第２吸込口２４ｂは、第１部屋６１に露出している。ファン２４の吐出口２４ｃは、第２部屋６２に露出している。つまり、筐体５内のコーナー部に、ファン２４の吸込口２４ａ，２４ｂを閉じ込める部分密封域が設けられている。
【００７７】
ファン２４は、第１部屋６１にて筐体５の外部から空気を吸い込み、第１部屋６１から第２部屋６２に空気が吐出される。ファン２４の吸込口は、第２部屋６２および第３部屋６３には露出していない。このため、ファン２４は、ＣＰＵ４１やＰＣＨ４２、電源回路部品４３、その他発熱体によって暖められた第２部屋６２および第３部屋６３の空気を吸うことが少ない、またはほとんど無い。
【００７８】
ファン２４は、第１部屋６１を通じて筐体５の外部の低温の空気を吸いこみ、その低温の空気をＣＰＵ４１などに向けて第２部屋６２に吐出する。なお、本実施形態では、筐体５の下壁７および周壁８に吸気口が設けられたが、筐体５の吸気口は、上壁６、下壁７、周壁８のいずれか少なくとも一つに設けられていればよい。
【００７９】
図１５および図１６等に示すように、筐体５内には、回路基板３１に実装された基板部品によって、ファン２４からヒートシンク２８に向けて冷却風を導く通風路９１（第１通風路９１ａ、第２通風路９１ｂ）が形成されている。具体的には、第１壁部７１によって、通風路９１の両側の壁面が形成されている。つまり、第１壁部７１と、回路基板装置３８と、筐体５の下壁７および上壁６（またはキーボード９）によって囲まれた空間が通風路９１を成している。
【００８０】
このため、ファン２４から吐出された冷却風は、図１５中の矢印に沿うように、回路基板装置３８上を通ってファン２４からヒートシンク２８に向かう。つまり、ファン２４から吐出された冷却風は、筐体５内で広く広がることなく、ＣＰＵ４１やヒートシンク２８等に対して確実に、集中的に流れ、これらＣＰＵ４１やヒートシンク２８等を効率的に冷却する。
【００８１】
このような構成によれば、冷却効率を向上させることができる。
例えば吸気構造の一例として、ファンの下面の吸込口が筐体の下壁の吸気口に向かい合うとともに、ファンの上面の吸込口が筐体内に開口している構造を考える。この場合、ファンの下面の吸込口は、低温の外気を取り込み可能であるが、上面の吸込口は、暖められた筐体５内の空気を吸うことになる。そのため、このファン２４から吐出される空気は、ある程度の温度を有し、この空気に晒されるヒートシンク２８などを効率的に冷却できるとは言えない。
【００８２】
一方、本実施形態の構造では、ファン２４の吸込口２４ａ，２４ｂと吐出口２４ｃとの間に、筐体５内の空間を少なくとも部分的に仕切る遮風部６４が設けられている。このため、吐出口２４ｃから吐出されてＣＰＵ４１やヒートシンク２８で暖められた空気が、再度、吸込口２４ａ，２４ｂから吸われにくくなっている。このため、ＣＰＵ４１やヒートシンク２８に対して比較的低温の空気を送ることができ、放熱効率の向上を図ることができる。
【００８３】
本実施形態では、筐体５の吸気口２１，２２，２３、およびファン２４の吸込口２４ａ，２４ｂが露出した第１部屋６１と、筐体５の排気口２６，２７、ＣＰＵ４１、ヒートシンク２８、ヒートパイプ３４、およびファン２４の吐出口２４ｃが露出した第２部屋６２とを筐体５内で少なくとも部分的に仕切る遮風部６４が設けられている。このため、ファン２４の吸込口２４ａ，２４ｂには、ＣＰＵ４１やヒートシンク２８、ヒートパイプ３４で暖められた空気が還流しにくい。
【００８４】
特に、本実施形態では、周囲の外気を筐体５内に取り込む第１部屋６１が設けられ、この第１部屋６１にファン２４の上面５３ａの第１吸込口２４ａおよび下面５３ｂの第２吸込口２４ｂが共に露出している。一方で、ＣＰＵ４１などの発熱体は、第１部屋６１から仕切られた第２部屋６２に収容されている。この構造によれば、ファン２４の下面５３ｂの第１吸込口２４ａに加えて、ファン２４の上面５３ａの第２吸込口２４ｂも、筐体５内の暖められた空気ではなく、低温の外気を吸うことができる。
【００８５】
このため、ＣＰＵ４１やヒートシンク２８に向けてより低温の空気を送ることができ、放熱効率のさらなる向上を図ることができる。換言すれば、ファンの種類に関係なく、筐体５内に組み込まれたファン２４が、なるべく１００％外部から吸気し、筐体５の内部に１００％排気（送風）する構造が設けられている。
【００８６】
ファン２４は、筐体５に収容される部品のなかで、比較的高さ（厚さ）がある部品である。ファン２４がパームレスト１８の下方に配置されていると、キーボード載置部１７の下方に比べて筐体５の厚さに余裕があるパームレスト１８の下方を利用して、ファン２４を収容することができるので、筐体５の薄型化を図ることができる。
【００８７】
ここで再び、例えば吸気構造の一例として、ファンの下面の吸込口が筐体の下壁の吸気口に向かい合うとともに、上面の吸込口が筐体内に開口している構造を考える。この場合、何かの原因で筐体の下壁の吸気口が塞がれてしまうと、ファンの下面の吸込口も筐体内の暖められた空気を吸うことになる。このため、冷却効率が低下する可能性がある。
【００８８】
一方で、本実施形態では、筐体５には、吸気用の第１部屋６１が設けられ、この第１部屋６１は、第１吸気口２１に加えて、第２吸気口２２を有する。このような構造では、仮に第１吸気口２１が塞がれたとしても、第２吸気口２２を通じて第１部屋６１が外部に通じている。そして、ファン２４の吸込口２４ａ，２４ｂは、第１部屋６１に開口しているため、第１部屋６１から低温の外気を吸い込むことができる。このため、筐体５の一部の吸気口が塞がれたとしても、冷却効率が低下しにくい。
【００８９】
特に、第１吸気口２１が筐体５の下壁７に設けられ、第２吸気口２２が筐体５の周壁８に設けられていると、これら２つの吸気口２１，２２が両方同時に塞がれる可能性は小さく、第１部屋６１が外部に連通しやすくなっている。
【００９０】
自然放熱で間に合う第２発熱体（例えばＰＣＨ４２）を更に備え、遮風部６４が第２発熱体を含む第３部屋６３を、筐体５内で第１部屋６１および第２部屋６２から少なくとも部分的に仕切ると、ファン２４の冷却風を第２部屋６２に集中できるとともに、第３部屋６３で暖められた空気がファン２４によって吸われにくい。このため、機器全体として冷却効率を向上させることができる。
【００９１】
ここで、本実施形態では、図８に示すように、ＣＰＵ４１が、第２部屋６２において、Ｌ字状の第１通風路９１ａ中の外周部に位置されている。そこで、このＣＰＵ４１に風速が速い冷却風が届くように、ファン２４の羽根車５４を吐出口２４ｃ側から見たときに、第１通風路９１ａの外周部から内周部に回転する方向（図８中の矢印Ｘの方向）に回転させている。これにより、ＣＰＵ４１に対する冷却効率が大きくなる。
【００９２】
また、本実施形態では、図８に示すように、ヒートパイプ３４が、ＣＰＵ４１からヒートシンク２８に向かう途中部分でファン２４に近づく形状に湾曲して、ヒートシンク２８のファン２４側の端部に接続されている。これにより、ヒートパイプ３４に効率的に冷却風を当てることができる。なお、ヒートパイプ３４は、ＣＰＵ４１からヒートシンク２８に向かって次第にファン２４から遠ざかる形状に形成してもよい。この形状の一例を図８に示す。この場合には、ヒートシンク２８に風量の大きい冷却風を送ることができる。
【００９３】
ここで、本実施形態では、第１壁部７１と第２壁部７２とが、回路基板装置３８を挟んだ状態で筐体５内に配置され、冷却風を案内する一対の壁部に相当する。また、第１の壁部７１は、回路基板装置３８に当接した弾性部しての第２部７１ｂと、筐体５の内面に取り付けられ第２部７１ｂを支持した支持部としての第１部７１ａを有し、第２部７１ｂの弾性変形を伴って筐体５の内面と回路基板装置３８とに挟まれた状態で設けられ、冷却風を案内する壁部に相当する。
【００９４】
また、上述した回路基板装置３８は、別の言い方をすると、基板、回路基板、回路板、部品の載った配線板、収納部品、モジュールである。また、第１部材７１ｃは、別の言い方をすると、支持部材、壁、リブ、突出部、突部、凸部、保持部、導風部材の一部である。また、通風路９（第１通風路９１ａ、第２通風路９２ａ）は、導風路、領域、第１領域、基板と筐体５の内壁と導風部材（第１壁部７１や第２壁部７２、第３壁部７３、第４壁部７４）とで囲まれた部分、ファン２４と排気口２６，２７との間の部分である。また、導風部材（第１壁部７１や第２壁部７２、第３壁部７３、第４壁部７４）は、壁、リブ、突出部、凸部、保持部、導風部材の一部、柔軟性や弾性を有する変形可能な部材や材料である。また導風部材における第２部材７１ｄは、第１部材７１ｃより低剛性の材料である。また、上述した上下左右は、第１、第２、第３および第４と言い換えることができる。また、上下は、一方と他方とに言い換えることができる。また、左右は、一方と他方とに言い換えることができる。
【００９５】
以上説明した本実施形態では、壁部としての第１壁部７１が、筐体５の内面に設けられた第１部材７１ｃおよび第１部材７１ｃに取り付けられて回路基板装置３８に当接し剛性が第１部材７１ｃよりも低い第２部材７１ｄを有して、筐体５の内面と回路基板装置３８との間に設けられている。したがって、回路基板装置３８へかかる負荷を第２部材７１ｄで抑制しつつ、第２部材７１ｄを第２部材７１ｃで強固に支持して、冷却風による第２部材７１ｄの倒れなどを抑制することができる。よって、本実施形態によれば、ファン２４による冷却効率の向上を図る上で、回路基板３１にかかる負荷が増大することを抑制することができる。
【００９６】
以上説明した本実施形態では、第１通風路９１ａを形成した第１壁部７１と、第２通風路９１ｂを形成した第２壁部７２とが、回路基板装置３８を挟んで相互に重ねて配置されている。したがって、第１壁部７１と第２壁部７２との間で、回路基板装置３８に剪断力が作用するのが抑制される。よって、本実施形態によれば、ファン２４による冷却効率の向上を図る上で、回路基板３１にかかる負荷が増大することを抑制することができる。ここで、第１壁部７１と、第２通風路９１ｂを形成した第２壁部７２とが、相互に重ねて配置されずにずれて配置された場合には、回路基板装置３８に剪断力が作用してしまう。
【００９７】
また、本実施形態では、筐体５に設けられた開口部９４ａに、弾性部材９５が入れられるとともに、弾性部材９５を支持したシート部材９６が、筐体５内で開口部９４ａの少なくとも一部を覆う位置に設けられている。したがって、本実施形態によれば、開口部９４ａが良好に塞がれているので、開口部９４ａを空気が流通し難い。つまり、弾性部材９５とシート部材９６とによって開口部９４ａの高いシール性が実現されている。よって、一例として、ファン２４からヒートシンク２８に向かう冷却風の一部が開口部９４ａに向けて流れた（漏れた）としても、その却風が開口部９４ａから筐体５の外部に漏れることを抑制することができる。よって、これにより、第１排気口２６および第２排気口２７へ向かう風量の減少が抑制されるので、その分、ファン２４による冷却効率を向上させることができる。
【００９８】
また、本実施形態では、弾性部材９５が、可撓性を有するシート部材９６に支持されているので、弾性部材９５の位置決めおよび取付作業を容易に行うことができる。また、弾性部材９５がシート部材９６によって筐体５に取り付けられているので、弾性部材９５の保持性を向上させることができる。
【００９９】
以下に、本実施形態の変形例を説明する。なお、上記第１の実施形態の構成と同一または類似の機能を有する構成は、同一の符号を付してその説明を省略する。また、下記に説明する以外の構成は、上記第１の実施形態と同じである。
【０１００】
第１の変形例を図２１を参照して説明する。第１の変形例では、第１壁部７１の第１当接面７１ｇの延在方向と直交する方向（図２１での左右方向）の第１当接面７１ｇの第１幅Ｗ１と、第２壁部材７２の第２当接面７２ｃの延在方向と直交する方向（図２１での左右方向）の第２当接面７２ｃの第２幅Ｗ２とは、一方が他方よりも幅が広い。本実施形態では、第１当接面７１ｇの第１幅Ｗ１の方が、第２当接面７２ｃの第２幅Ｗ２よりも広くなっている。このようにすることで、第２壁部７２と第１壁部７１との形状誤差が発生しても、その誤差を吸収して、第２壁部７２と第１壁部７１とを重ねて配置することができる。
【０１０１】
また、第１壁部７１の第２部７１ｂの第１部材７１ｃが、記憶装置３３の支持壁となって、記憶装置３３を支持している。第１部材７１ｃは、記憶装置３３の位置決め壁となって、記憶装置３３を位置決めしている。記憶装置３３は、第１部材７１ｃが支持および位置決めする部品やモジュールの一例である。
【０１０２】
また、第１の変形例では、板状部材としての第１インシュレータ８６と、板状部材としての第２インシュレータ８７と、が設けられている。第１インシュレータ８６と第２インシュレータ８７とは、絶縁性を有した平板状部材である。第１インシュレータ８６と第２インシュレータ８７は、遮熱性および遮音性も有している。第１インシュレータ８６は、第１壁部７１の第１部７１ａと第２部７１ｂとの間で、下壁７の内面７ａに両面テープなどによって貼り付けられている。第２インシュレータ８７は、第２壁部７２の第１部７２ａと第２部７２ｂとの間で、上壁６の内面６ａに両面テープなどによって貼り付けられている。
【０１０３】
また、第１の変形例では、第１壁部７１の第１部材７１ｃが、ねじ９３によって、下壁７の内面７ａに固定されている。詳しくは、第１部材７１ｃの第１壁７１ｋが、ねじ９３によって、下壁７の内面７ａに固定されている。即ち、第１部材７１ｃは、下壁７にねじ止めされている。このように、ねじ９３によって第１部材７１ｃを下壁７に固定することで、第１部材７１ｃを下壁７に強固に固定することができる。なお、図２１の例では、例えば、第１部材７１ｃをねじ９３によって下壁７に固定した後に、第２部材７１ｄを第１部材７１ｃに両面テープ等で取り付けることで、第１部材７１ｃを容易に下壁７に固定することができる。
【０１０４】
次に、第２の変形例を図２２を参照して説明する。第２の変形例では、第１壁部７１の第２部材７１ｄと下壁７の内面７ａとの間に第１インシュレータ８６が配置されている。つまり、板状部材である第１のインシュレータ８６が、筐体５の内面と第２部材７１ｄとの間に位置して筐体５の内面に取り付けられている。また、第２壁部７２と上壁６の内面６ａとの間に、第２インシュレータ８７が配置されている。つまり、第２壁部７２は、第２インシュレータ８７を介して筐体５に取り付けられている。
【０１０５】
次に、第３の変形例を図２３−１および図２３−２を参照して説明する。第３の変形例では、第１壁部７１に第１インシュレータ８６が予め取り付けられて壁ユニット８８を構成している。第１インシュレータ８６は、第１部材７１ｃに例えば両面テープなどで取り付けられている。第１インシュレータ８６は、筐体５に例えば両面テープなどで取り付けられている。したがって、第３の変形例では、壁ユニット８８は、第１壁部７１および第１部材７１ｃに取り付けられた板状部材としての第１インシュレータ８６を有し、第１インシュレータ８６が筐体５の内面に取り付けられている。
【０１０６】
また、第２壁部７２に第２インシュレータ８７が予め取り付けられて壁ユニット８９を構成している。第２インシュレータ８７は、第２壁部７２に例えば両面テープなどで取り付けられている。第２インシュレータ８７は、筐体５に例えば両面テープなどで取り付けられている。したがって、第３の変形例では、壁ユニット８９は、第２壁部７２に取り付けられた板状部材としての第２インシュレータ８７を有し、第２インシュレータ８７が筐体５の内面に取り付けられている。
【０１０７】
このような構成によれば、容易に第１壁部７１および第２壁部７２を筐体５に取り付けることができる。
【０１０８】
また、第１壁部７１の第１部材７１ｃには、第２部材７１ｄが挿入された挿入部７１ｈが設けられている。挿入部７１ｈは、溝形状に形成されている。これにより、第１部材７１ｃに、第２部材７１ｄを容易に取り付けることができるとともに、第１部材７１ｃによって、第２部材７１ｄをより強固に支持することができる。
【０１０９】
次に、第４の変形例を図２４を参照して説明する。第４の変形例では、第４壁部７４の第１部７４ａと第２部７４ｂが、ヒートシンク２８から回路基板３１側へ張り出した張出部７４ｃ，７４ｄを有している。張出部７４ｃ，７４ｄは張り出し方向に行くほど厚さが薄くなるように先細りの湾曲形状に形成されている。これにより、冷却風に対する第４壁部７４による抵抗を減らして、ヒートシンク２８へ、より速い冷却風を効率良く案内することがきる。
【０１１０】
次に、第５の変形例を図２５を参照して説明する。第５の変形例では、ファン２４のファンケース５３が筐体５の前壁８ａに沿って湾曲しているとともに、羽根車５４も前壁８ａの湾曲に沿って湾曲している。詳細には、ファンケース５３は、周壁５３ｃに、前壁８ａに沿って湾曲した湾曲部５３ｅを有している。羽根車５４は、矩形状の基部５４ａとこの基部から周壁５３ｃに向かって延出した延出部５４ｂを有しており、延出部５４ｂがその先端に向かうほど厚みが薄くなるように、前壁８ａの湾曲に沿って湾曲している。
【０１１１】
このような構成によれば、延出部５４ｂを、前壁８ａの湾曲に沿って湾曲させて延出させたので、この延出部５４ｂの分だけ、羽根車５４による風量を大きくすることができる。
【０１１２】
次に、第６の変形例を図２６を参照して説明する。第６の変形例では、第１壁部７１と第２壁部７２（図２６では図示せず）とにおけるＬ字状の通風路９１の角部に位置する部分に、湾曲部７１ｍが形成されている。このようにすることで、通風路９１を流れる冷却風に対する抵抗を減らすことができる。
【０１１３】
次に、第７の変形例を図２７および図２８を参照して説明する。図２７に示すように、第７の変形例では、第１壁部７１の第１部７１ａにおいて、複数の第１部材７１ｃが相互に分離して設けられている。別の言い方をすると、第１部７１ａは、分割されて設けられている。第１部材７１ｃは、第１壁部７１におけるコーナー部（別の言い方をすると、角部、屈曲部）に部分的に設けられている。また、第１部材７１ｃは、第１壁部７１の延在方向の端部に設けられている。各第１部材７１ｃ間は、第２部材７１ｄによって連結されている。各第１部材７１ｃ間は、第２部材７１ｄによって閉塞されている。図２８に示すように、ある第１部材７１ｃは、下壁７の内面７ａに沿った延在方向が屈曲しており、その内周側、詳しくは第２壁７１ｊの内周側に第２部材７１ｄが配置されている。なお、第１部材７１ｃは、その内周側詳しくは、第２壁７１ｊの内周側に第２部材７１ｄが配置されていてもよい。また、ここでは、図９に示したＬ字状の部分を有する第１部７１ａに当該変形例を適用した例を示したが、これに限るものではなく、図２２に示した立壁形状の第１部７１ａや図２３−１に示した凹状の挿入部７１ｈを有した第１部７１ａに本変形例を適用してもよい。即ち、第１部材７１ｃは、第２部材７１ｄの幅方向の片側のみにあってもよいし、両側にあってもよい。
【０１１４】
このように、複数の第１部材７１ｃが相互に分離して設けられており、第１壁部７１におけるコーナー部に設けられているので、第１壁部７１を軽量化しつつ、第２部材７１ｄを良好に支持することができる。
【０１１５】
次に、第８の変形例を図２９を参照して説明する。図２９は、電子機器１の内部における図２８で示した部分に相当する。本変形例では、第１壁部７１は、基本的には第７の変形例と同じであるが、ある第１部７１ａが、第３凸部（以後、この第３凸部に符号７１ａを付与する）によって構成されている点が第７の変形例に対して異なる。第１部としての第３凸部７１ａは、下壁７の内面７ａに突設されている。第３凸部７１ａは、例えば筐体５内の回路基板３１等の部品を支持するボスである。このように、本変形例では、第１部が、第３凸部７１ａによって代用されている。第２部材７１ｄは、第３凸部７１ａの外周に沿って湾曲している。つまり、第３凸部７１ａは、第２部材７１ｄのコーナー部の内周側に位置している。別の言い方をすると、第３凸部７１ａは、第２部材７１ｄの内角に位置されている。また、凸部は、別の言い方をすると、突起部や突出部である。
【０１１６】
このように、第３凸部７１ａが、第２部材７１ｄのコーナー部の内周側に位置しているので、第２部材７１ｄを第３凸部７１ａに掛け回しながら、第２部材７１ｄを第３凸部７１ａに接着などによって取り付けることができる。よって、第２部材７１ｄの取り付けを容易に行うことができる。なお、この場合、第２部材７１ｄは、第３凸部７１ａに引っ掛かった状態となって位置決めされるので、第３凸部７１ａと第２部材７１ｄとを接着しなくてもよい。
【０１１７】
次に、第９の変形例を図３０を参照して説明する。本変形例では、記憶装置（例えばＨＤＤ）３３のケース３３が第１壁部７１の第２部７２ｂの第１部材として機能している。即ち、記憶装置３３のケース３３ａの側面３ｂが、第２部７２ｂの第２部材７１ｄを支持している。第２部材７１ｄは、例えば、両面テープなどでケース３３ａの側面３ｂに取り付けられている。記憶装置３３は、比較的に背の高い背高の部品の一例である。記憶装置３３、モジュールの一例である。つまり、第２部７１ｄは、専用の第１部７１ｃだけでなく、他の部品に取り付けられていても良い。即ち、他の部品が第１部７１ｃを兼ねる兼用部として機能し、第１部７１ｃが他の部品で代用される。兼用部は、第１機能と第２部材７１ｄを支持する第２機能とを兼ね備えるものである。第１機能は、記憶装置３３のケース３３ａにおいては、記憶装置３３の記憶部を収容して保護する機能である。
【０１１８】
このように、兼用部としての記憶装置３３のケース３３に第２部材７１ｄが取り付けられているので、ダクト構造を比較的に簡素な構成として安価なものとすることができる。なお、兼用部としては、記憶装置３３に限るものではなく、例えば、ファンケース５３やＯＤＤ３２のケースなどであってもよい。
【０１１９】
次に、第１０の変形例を図３１を参照して説明する。本変形例では、第１壁部７１における第１部材７１ｃが、筐体５の内面である下壁７の内面７ａに一体成形されている。第１部材７１ｃは、例えば、下壁７の内面７ａから突出されたリブ（凸部、突部）である。筐体５および第１部材７１ｃは、樹脂一体成形品である。このように、第１部材７１ｃが、下壁７の内面７ａに一体成形されているので、筐体５の剛性がより高くなる。また、第１部材７１ｃを、下壁７の内面７ａに取り付ける作業が不要であるので、作業者の負荷を低減することができる。
【０１２０】
次に、第１１の変形例を図３２を参照して説明する。本変形例では、一例として、下壁に設けられた二つ（複数）の壁部９７間に通風路９８が設けられている。壁部９７は、例えばスポンジ（弾性部材）である。そして、シート部材９９（第二の部材）が、一対の壁部９７間に掛け渡されている。シート部材９９は、通風路９８を構成している。シート部材９９は、可撓性を有したシート状の部材である。シート部材９９は、例えば樹脂等によって構成されうる。
【０１２１】
次に、第１２の変形例を図３３を参照して説明する。本変形例では、一例として、回路基板３１に設けられた二つ（複数）の壁部９７間に通風路９８が設けられている。壁部９７は、例えばスポンジ（弾性部材）である。そして、シート部材９９（第二の部材）が、一対の壁部９７間に掛け渡されている。シート部材９９は、通風路９８を構成している。シート部材９９は、可撓性を有したシート状の部材である。シート部材９９は、例えば樹脂等によって構成されうる。シート部材９９は、回路基板３１に面している。
【０１２２】
次に、第１３の変形例を図３４を参照して説明する。本変形例では、筐体５内に設けられた２つ（複数）の部品１００（例えば、電子部品）間に開口部１０１（第１の開口部）が設けられている。各部品１００は、回路基板６に実装されている。そして、開口部１０１に弾性部材１０２が入れられている。弾性部材１０２は、例えば、スポンジやゴム等によって構成される。弾性部材１０２は、開口部１０１を塞いでいる。弾性部材１０２は、シート部材１０３（第一の部材、インシュレータ）によって支持されている。
【０１２３】
シート部材１０３は、筐体５内で開口部１０１の少なくとも一部（本変形例では全部）を覆う位置に設けられている。シート部材１０３は、樹脂等によって構成されうる。シート部材１０３は、可撓性を有したシート状の部材である。シート部材９６は、両端部１０３ａ，１０３ｂが一対の部品１００に固定されて、両端部間１０３ａ，１０３ｂ間に弾性部材１０２が固定されている。これらの固定は、例えば接着等によってなされる。これらの弾性部材１０２やシート部材１０３によって筐体５内の通風路の一部が構成されうる。
【０１２４】
次に、第１４の変形例を図３５および図３６を参照して説明する。本変形例では、筐体５に設けられた開口部５ａに入れられた弾性部材９５が、シート部材９６の両端部９６ａ，９６ｂ間に固定されている。そして、シート部材９６の両端部９６ａ，９６ｂが筐体５に固定されている。かかる構成では、より強固に弾性部材９５を筐体５に取り付けることができる。なお、図３５は、開口部５ａに弾性部材９５が入れられる前の状態（製造過程）を示している。
【０１２５】
（第２の実施形態）
次に、第２の実施形態にかかるテレビジョン受像機１１１について説明する。なお、上記第１の実施形態の構成と同一または類似の機能を有する構成は、同一の符号を付してその説明を省略する。また、下記に説明する以外の構成は、上記第１の実施形態と同じである。
【０１２６】
図３７に示すように、テレビジョン受像機１１１は、筐体５と、筐体５に収容された表示パネル１６とを有する。筐体５の内部には、上記第１の実施形態と同様の構造が設けられている。
【０１２７】
また、図３７，３８に示すように、テレビジョン受像機１１１の筐体５には、複数の開口部５ｂ（第一の開口部、貫通孔）が設けられている。開口部５ｂは、一例として、ＵＳＢコネクタ等のコネクタ１１２を露出させている。
【０１２８】
各開口部５ｂには、弾性部材９５が入れられている。弾性部材９５は、コネクタ１１２の周囲の開口部５ｂを埋めている。弾性部材９５は、筒状に形成されて、コネクタ１１に外挿されている。図３９に示すように、複数の弾性部材９５は、一枚のシート部材９６に、例えば接着等によって固定されている。シート部材９６は、粘着テープや糊などの粘着部１１３によって筐体３の内面に固定されている。また、シート部材９６には、コネクタ１１２が挿入された開口部９６ａが設けられている。
【０１２９】
このような構成のテレビジョン受像機１１１によれば、上記第１の実施形態と同様に、冷却効率を向上させることができる。
【０１３０】
（第３の実施形態）
次に、第３の実施形態について説明する。図４１，４２に示す本実施形態の電子機器２０１は、所謂スレート型のパーソナルコンピュータとして構成されている。図４１に示すように、電子機器２０１は、筐体５に収容された表示パネル１６状にタッチパネル２０２が設けられている。また、図４１，４２に示すように、筐体５には、第１排気口２６や開口部５ｂ、第１吸気口２１等が設けられている。開口部５ｂからは、コネクタ１１２が露出されている。筐体５の内部には、上記第１の実施形態と同様の構造が設けられている。また、開口部５ｂには、上記第２の実施形態と同様の構造が設けられている。
【０１３１】
このような構成の電子機器２０１によれば、上記第１の実施形態と同様に、冷却効率を向上させることができる。
【０１３２】
（第４の実施形態）
次に、第４の実施形態について説明する。図４３に示す本実施形態の電子機器３０１は、プロジェクタとして構成されている。電子機器３０１は、筐体５と筐体５から露出したレンズとを有している。筐体５の内部には、上記第１の実施形態と同様の構造が設けられている。
【０１３３】
このような構成の電子機器３０１によれば、上記第１の実施形態と同様に、冷却効率を向上させることができる。
【０１３４】
以上説明したとおり、上記各実施形態によれば、ファンによる冷却効率を向上させることができる。
【０１３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３６】
１，２０１，３０１…電子機器、５…筐体，５ａ，５ｂ，９４ａ，１０１…開口部，２１…第１吸気口、２２…第２吸気口、２３…第３吸気口、２４…ファン、２６…第１排気口、２７…第２排気口、３１…回路基板、３６…第４吸気口、３８…回路基板装置、９４ｄ…面部、９４ｅ…湾曲部、９４ｆ…縁部、９４ｇ…支持部、９５…弾性部材、９６…シート部材（第一の部材）、９６ａ…一端部、９６ｂ…他端部、９７…壁部、９９…シート部材（第二の部材）１０３…部品、１１１…テレビジョン受像機。
【要約】
【課題】一例として、ファンによる冷却効率を向上させることができるテレビジョン受像機および電子機器を得る。
【解決手段】実施形態にかかるテレビジョン受像機は、筐体と、回路基板装置と、ファンと、弾性部材と、第一の部材と、を備えた。前記筐体には、吸気口および排気口が設けられた。前記回路基板装置は、前記筐体に収容された。前記ファンは、前記筐体内に設けられ、前記回路基板装置に冷却風を送る。前記弾性部材は、前記筐体または前記筐体の内部に設けられた開口部に入れられた。前記第一の部材は、可撓性を有した。前記第一の部材は、前記筐体内で前記開口部の少なくとも一部を覆う位置に設けられ、前記弾性部材を支持した。
【選択図】図１７【図１】
0005306511.tif 000002
【図２】
0005306511.tif 000003
【図３】
0005306511.tif 000004
【図４】
0005306511.tif 000005
【図５】
0005306511.tif 000006
【図６】
0005306511.tif 000007
【図７】
0005306511.tif 000008
【図８】
0005306511.tif 000009
【図９】
0005306511.tif 000010
【図１０】
0005306511.tif 000011
【図１１】
0005306511.tif 000012
【図１２】
0005306511.tif 000013
【図１３】
0005306511.tif 000014
【図１４】
0005306511.tif 000015
【図１５】
0005306511.tif 000016
【図１６】
0005306511.tif 000017
【図１７】
0005306511.tif 000018
【図１８】
0005306511.tif 000019
【図１９】
0005306511.tif 000020
【図２０】
0005306511.tif 000021
【図２１】
0005306511.tif 000022
【図２２】
0005306511.tif 000023
【図２３−１】
0005306511.tif 000024
【図２３−２】
0005306511.tif 000025
【図２４】
0005306511.tif 000026
【図２５】
0005306511.tif 000027
【図２６】
0005306511.tif 000028
【図２７】
0005306511.tif 000029
【図２８】
0005306511.tif 000030
【図２９】
0005306511.tif 000031
【図３０】
0005306511.tif 000032
【図３１】
0005306511.tif 000033
【図３２】
0005306511.tif 000034
【図３３】
0005306511.tif 000035
【図３４】
0005306511.tif 000036
【図３５】
0005306511.tif 000037
【図３６】
0005306511.tif 000038
【図３７】
0005306511.tif 000039
【図３８】
0005306511.tif 000040
【図３９】
0005306511.tif 000041
【図４０】
0005306511.tif 000042
【図４１】
0005306511.tif 000043
【図４２】
0005306511.tif 000044
【図４３】
0005306511.tif 000045